【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
複数の色のバンドを撮影できるマルチバンドカメラ部と、
上記マルチバンドカメラ部を制御するためのコンピュータと、
上記コンピュータにユーザからの上記制御のための指示情報を伝達するためのユーザインターフェースと、
上記複数の色のバンドの各々に対応するバンドを制御するためのパラメータと、
を備えたマルチバンドカメラの制御装置であり、
上記ユーザインターフェースは、上記複数の色のバンドを切り替えるための切り替え指示手段を有し、
上記コンピュータは、上記切り替え指示手段からの上記複数の色のバンドの切り替え指示に応じて選択されたバンドに対応するパラメータを使って、上記マルチバンドカメラ部を制御する、
ことを特徴とするマルチバンドカメラの制御装置。
【請求項２】
上記パラメータは、上記複数の色のバンド毎に上記マルチバンドカメラ部の設定に必要な複数のパラメータ値を有することを特徴とする請求項１に記載のマルチバンドカメラの制御装置。
【請求項３】
上記パラメータを保存するためのパラメータ保存手段を更に備え、
上記コンピュータが、上記マルチバンドカメラ部の何れかのバンドの設定が変更された場合には、上記パラメータ値をその変更後の設定に対応したパラメータ値に変更して上記パラメータ保存手段に保存する、
ことを特徴とする請求項２に記載のマルチバンドカメラの制御装置。
【請求項４】
上記マルチバンドカメラ部は、上記コンピュータによって制御されて、焦点位置を変更する焦点制御部を有し、
上記パラメータ値の１つはバンド毎の焦点位置の情報であり、
上記コンピュータが、撮影時に焦点位置の設定が変更された場合には、上記パラメータ値をその変更後の焦点位置に対応したパラメータ値に変更して上記パラメータ保存手段に保存する、
ことを特徴とする請求項３に記載のマルチバンドカメラの制御装置。
【請求項５】
上記コンピュータは、上記保存後に新たにプログラムを起動した時は、自動的に前回保存した情報を上記パラメータ保存手段から読み出し、上記マルチバンドカメラ部の上記焦点制御部の制御を自動的に行うことを特徴とする請求項４に記載のマルチバンドカメラの制御装置。
【請求項６】
上記ユーザインターフェースは、複数のパラメータを制御するための複数のメニュー、ボタン、アイコンを有し、
上記コンピュータは、
上記複数のメニュー、ボタン、アイコンが利用された回数を各々数える機能と、
上記利用された回数を相対的に比較し、上記ユーザインターフェースの該当するメニュー、ボタン、アイコンの大きさを変える機能と、
を備えたことを特徴とする請求項１に記載のマルチバンドカメラの制御装置。
【請求項７】
上記ユーザインターフェースは、複数のパラメータを制御するための複数のメニュー、ボタン、アイコンを有し、
上記コンピュータは、
上記複数のメニュー、ボタン、アイコンが利用された回数を各々数える機能と、
上記利用された回数を各々記憶しておく機能と、
上記記憶された利用された回数を元に、上記複数のメニュー、ボタン、アイコンのうちユーザが利用頻度が低いと判断した上記ユーザインターフェースのメニュー、ボタン、アイコンの機能を一時的に使用不可能にする機能と、
を備えたことを特徴とする請求項１に記載のマルチバンドカメラの制御装置。
【請求項８】
上記パラメータの全部或いは一部を含むセットを２セット以上記憶するためのパラメータ保存手段と、
ユーザが上記複数のセットの中から目的のセットを一意に指定できるセット指定手段と、
を更に備えたことを特徴とする請求項１に記載のマルチバンドカメラの制御装置。
【請求項９】
ユーザにＩＤを入力させ、上記セットを一意に指定できる手段を更に備えたことを特徴とする請求項８に記載のマルチバンドカメラの制御装置。
【請求項１０】
上記ＩＤの情報を元に上記コンピュータのＯＳのログインの行為と関係付ける手段を更に備えたことを特徴とする請求項９に記載のマルチバンドカメラの制御装置。
【請求項１１】
上記マルチバンドカメラ部は、上記コンピュータによって制御されて、露光情報を変更する露光制御部を有し、
上記パラメータ値の１つはバンド毎の露光情報であり、
上記コンピュータが、撮影時に上記露光情報の設定が変更された場合には、上記パラメータ値をその変更後の露光情報に対応したパラメータ値に変更して上記パラメータ保存手段に保存する、
ことを特徴とする請求項３に記載のマルチバンドカメラの制御装置。
【請求項１２】
上記コンピュータは、上記保存後に新たにプログラムを起動した時は自動的に前回保存した露光情報を上記パラメータ保存手段から読み出し、上記マルチバンドカメラ部の上記露光制御部の制御を自動的に行う、
ことを特徴とする請求項１１に記載のマルチバンドカメラの制御装置。
【請求項１３】
上記複数の色のバンドのうちの、ある１バンドの露光情報を記憶されていた情報に対して変更を行った時、変更前と変更後の相対的な変化量を求める手段と、
その求めた変化量を残りのバンドに反映させ、残りのバンドの露光情報を変更する手段と、
を更に備えたことを特徴とする請求項１１に記載のマルチバンドカメラの制御装置。
【請求項１４】
上記マルチバンドカメラ部は、上記コンピュータによって制御されて、露光情報を変更する露光制御部を有し、
上記パラメータ値の１つはバンド毎の露光情報であり、
該マルチバンドカメラの制御装置は、
上記コンピュータに上記露光情報に基づき上記マルチバンドカメラ部の上記露光制御部を制御させるプログラムと、
上記マルチバンドカメラ部が撮像した画像の一部或いは全部の輝度情報を取得する手段と、
その取得した輝度が、想定する最小値及び最大値の範囲内か外かを判定する手段と、
を更に備え、
上記ユーザインターフェースは、２つ以上のバンドで判定した結果をユーザが同時に確認させる機能を備える、
ことを特徴とする請求項１に記載のマルチバンドカメラの制御装置。
【請求項１５】
複数の色のバンドを撮影できるマルチバンドカメラ部により撮影する撮影過程と、
コンピュータにより上記マルチバンドカメラ部を制御する制御過程と、
ユーザインターフェースにより上記コンピュータにユーザからの上記制御のための指示情報を伝達する指示情報伝達過程と、
を備えたマルチバンドカメラの制御方法であり、
上記指示情報伝達過程が、上記複数の色のバンドを切り替えるための切り替え指示を行う過程を備え、
上記制御過程が、上記複数の色のバンド各々に対応するバンドを制御するためのパラメータから、上記複数の色のバンドの切り替え指示に応じて選択されたバンドに対応するパラメータを使って、上記マルチバンドカメラ部を制御する過程を備える、
ことを特徴とするマルチバンドカメラの制御方法。
【請求項１６】
上記パラメータは、上記複数の色のバンド毎に上記マルチバンドカメラ部の設定に必要な複数のパラメータ値を有することを特徴とする請求項１５に記載のマルチバンドカメラの制御方法。
【請求項１７】
上記制御過程が、上記マルチバンドカメラ部の何れかのバンドの設定が変更された場合には、上記パラメータ値をその変更後の設定に対応したパラメータ値に変更して保存する過程を更に備えることを特徴とする請求項１６に記載のマルチバンドカメラの制御方法。
【請求項１８】
上記パラメータ値の１つはバンド毎の焦点位置の情報であり、
上記制御過程が、撮影時に焦点位置の設定が変更された場合には、上記パラメータ値をその変更後の焦点位置に対応したパラメータ値に変更して保存する過程を更に備える、
ことを特徴とする請求項１７に記載のマルチバンドカメラの制御方法。
【請求項１９】
上記制御過程が、上記保存後に新たにプログラムを起動した時は自動的に前回保存した情報を読み出させ、上記マルチバンドカメラ部の上記焦点位置の制御を自動的に行わせる過程を更に備えることを特徴とする請求項１８に記載のマルチバンドカメラの制御方法。
【請求項２０】
上記ユーザインターフェースに設けられた、複数のパラメータを制御するための複数のメニュー、ボタン、アイコンが利用された回数を各々数える過程と、
上記利用された回数を相対的に比較し、該当するメニュー、ボタン、アイコンの大きさを変える過程と、
を更に備えることを特徴とする請求項１５に記載のマルチバンドカメラの制御方法。
【請求項２１】
上記ユーザインターフェースに設けられた、複数のパラメータを制御するための複数のメニュー、ボタン、アイコンが利用された回数を各々数える過程と、
上記利用された回数を各々記憶する過程と、
上記記憶された利用された回数を元に、上記複数のメニュー、ボタン、アイコンのうちユーザが利用頻度が低いと判断した上記メニュー、ボタン、アイコンの機能を一時的に使用不可能にする過程と、
を更に備えることを特徴とする請求項１５に記載のマルチバンドカメラの制御方法。
【請求項２２】
パラメータの全部或いは一部を含むセットを２セット以上記憶し、
ユーザが上記複数のセットの中から目的のセットを一意に指定する過程を更に備える、
ことを特徴とする請求項１５に記載のマルチバンドカメラの制御方法。
【請求項２３】
ユーザにＩＤを入力させ、上記セットを一意に指定する過程を更に備えることを特徴とする請求項２２に記載のマルチバンドカメラの制御方法。
【請求項２４】
上記ＩＤの情報を元に上記コンピュータのＯＳのログインの行為と関係付ける過程を更に備えることを特徴とする請求項２３に記載のマルチバンドカメラの制御方法。
【請求項２５】
上記パラメータ値の１つはバンド毎の露光情報であり、
上記制御過程が、撮影時に上記露光情報の設定が変更された場合には、上記パラメータ値をその変更後の露光情報に対応したパラメータ値に変更して保存する過程を更に備える、
ことを特徴とする請求項１７に記載のマルチバンドカメラの制御方法。
【請求項２６】
上記コンピュータに、上記保存後に新たにプログラムを起動した時は自動的に前回保存した露光情報を読み出させ、上記マルチバンドカメラ部の上記露光情報の制御を自動的に行わせる過程を更に備えることを特徴とする請求項２５に記載のマルチバンドカメラの制御方法。
【請求項２７】
上記複数の色のバンドのうちの、ある１バンドの露光情報を記憶されていた情報に対して変更を行った時、変更前と変更後の相対的な変化量を求める過程と、
その求めた変化量を残りのバンドに反映させ、残りのバンドの露光情報を変更する過程と、
を更に備えることを特徴とする請求項２５に記載のマルチバンドカメラの制御方法。
【請求項２８】
上記パラメータ値の１つはバンド毎の露光情報であり、
上記制御過程が、上記露光情報に基づき上記マルチバンドカメラ部の上記露光情報を制御する過程と、
上記マルチバンドカメラ部が撮像した画像の一部或いは全部の輝度情報を取得する過程と、
その取得した輝度が、想定する最小値及び最大値の範囲内か外かを判定する過程と、
を更に備え、
上記指示情報伝達過程が、上記ユーザインターフェースにより、２つ以上のバンドで判定した結果をユーザに同時に確認させる過程を更に備える、
ことを特徴とする請求項１７に記載のマルチバンドカメラの制御方法。
【請求項２９】
複数の色のバンドを撮影できるマルチバンドカメラに接続可能に構成されたコンピュータと、
上記コンピュータにユーザからの上記制御のための指示情報を伝達するためのユーザインターフェースと、
上記複数の色のバンドの各々に対応するバンドを制御するためのパラメータと、
を備え、
上記ユーザインターフェースは、上記複数の色のバンドを切り替えるための切り替え指示手段を有し、
上記コンピュータは、上記切り替え指示手段からの上記複数の色のバンドの切り替え指示に応じて選択されたバンドに対応するパラメータを使って、該コンピュータに接続されたマルチバンドカメラを制御する、
ことを特徴とするマルチバンドカメラの制御装置。
【手続補正２】
【補正対象書類名】明細書
【補正対象項目名】００１２
【補正方法】変更
【補正の内容】
【００１２】
上記の目的を達成するために、本発明の一態様によるマルチバンドカメラの制御装置は、
複数の色のバンドを撮影できるマルチバンドカメラ部と、
上記マルチバンドカメラ部を制御するためのコンピュータと、
上記コンピュータにユーザからの上記制御のための指示情報を伝達するためのユーザインターフェースと、
上記複数の色のバンドの各々に対応するバンドを制御するためのパラメータと、
を備えたマルチバンドカメラの制御装置であり、
上記ユーザインターフェースは、上記複数の色のバンドを切り替えるための切り替え指示手段を有し、
上記コンピュータは、上記切り替え指示手段からの上記複数の色のバンドの切り替え指示に応じて選択されたバンドに対応するパラメータを使って、上記マルチバンドカメラ部を制御する、
ことを特徴とする。
【手続補正３】
【補正対象書類名】明細書
【補正対象項目名】００１３
【補正方法】変更
【補正の内容】
【００１３】
また、本発明の別の態様によるマルチバンドカメラの制御方法は、
複数の色のバンドを撮影できるマルチバンドカメラ部により撮影する撮影過程と、
コンピュータにより上記マルチバンドカメラ部を制御する制御過程と、
ユーザインターフェースにより上記コンピュータにユーザからの上記制御のための指示情報を伝達する指示情報伝達過程と、
を備えたマルチバンドカメラの制御方法であり、
上記指示情報伝達過程が、上記複数の色のバンドを切り替えるための切り替え指示を行う過程を備え、
上記制御過程が、上記複数の色のバンド各々に対応するバンドを制御するためのパラメータから、上記複数の色のバンドの切り替え指示に応じて選択されたバンドに対応するパラメータを使って、上記マルチバンドカメラ部を制御する過程を備える、
ことを特徴とする。
【手続補正４】
【補正対象書類名】明細書
【補正対象項目名】００１４
【補正方法】変更
【補正の内容】
【００１４】
また、本発明の更に別の態様によるマルチバンドカメラの制御装置は、
複数の色のバンドを撮影できるマルチバンドカメラに接続可能に構成されたコンピュータと、
上記コンピュータにユーザからの上記制御のための指示情報を伝達するためのユーザインターフェースと、
上記複数の色のバンドの各々に対応するバンドを制御するためのパラメータと、
を備え、
上記ユーザインターフェースは、上記複数の色のバンドを切り替えるための切り替え指示手段を有し、
上記コンピュータは、上記切り替え指示手段からの上記複数の色のバンドの切り替え指示に応じて選択されたバンドに対応するパラメータを使って、該コンピュータに接続されたマルチバンドカメラを制御する、
ことを特徴とする。